(57)【要約】【課題】容量不足による録画不能状態を回避する。【解決手段】放送又はネットワークを介して供給されるコンテンツを格納する格納手段と、格納手段の空き容量が、新たなコンテンツを格納する容量を有しているか否かを判断する判断手段と、判断手段により、空き容量が新たなコンテンツを格納する容量を有していないと判断されると、コンテンツの供給状況毎に予め定められた基準に基づいて、格納手段に格納されたコンテンツから新たなコンテンツを格納するための代替候補を抽出する抽出手段と、を含む。【選択図】図６
2015156579.tif 000002
【特許請求の範囲】
【請求項１】
放送又はネットワークを介して供給されるコンテンツを格納する格納手段と、
前記格納手段の空き容量が、新たなコンテンツを格納する容量を有しているか否かを判断する判断手段と、
前記判断手段により、前記空き容量が前記新たなコンテンツを格納する容量を有していないと判断されると、前記コンテンツの供給状況毎に予め定められた基準に基づいて、前記格納手段に格納されたコンテンツから前記新たなコンテンツを格納するための代替候補を抽出する抽出手段と、
を含むことを特徴とする情報処理装置。
【請求項２】
前記抽出手段は、前記格納手段に格納されているコンテンツが、同一タイトルで期間を定めて定期的に供給されるジャンルに属するシリーズコンテンツである場合、前記期間が終了した後、所定時間経過したことを条件として一連の前記シリーズコンテンツを代替候補として抽出することを特徴とする請求項１に記載の情報処理装置。
【請求項３】
前記抽出手段は、前記格納手段に格納されているコンテンツが、同一タイトルで期間を定めず定期的に供給されるジャンルに属する繰り返しコンテンツである場合、前記同一タイトルの新たなコンテンツが供給されたことを条件として個々の前記繰り返しコンテンツを代替候補として抽出することを特徴とする請求項１又は２に記載の情報処理装置。
【請求項４】
前記抽出手段は、前記格納手段に格納されているコンテンツが、現実の事象がリアルタイムに供給されるジャンルに属するライブコンテンツである場合、前記事象が終了したことを条件として前記ライブコンテンツを代替候補として抽出することを特徴とする請求項１から３の何れか１項に記載の情報処理装置。
【請求項５】
放送又はネットワークを介して供給されるコンテンツを格納する格納手段を有する情報処理装置の制御方法であって、
前記格納手段の空き容量が、新たなコンテンツを格納する容量を有しているか否かを判断する工程と、
前記判断する工程により、前記空き容量が前記新たなコンテンツを格納する容量を有していないと判断されると、前記コンテンツの供給状況毎に予め定められた基準に基づいて、前記格納手段に格納されたコンテンツから前記新たなコンテンツを格納するための代替候補を抽出する工程と、
を含むことを特徴とする制御方法。
【請求項６】
放送又はネットワークを介して供給されるコンテンツを格納する格納手段を有する情報処理装置のコンピュータに、
前記格納手段の空き容量が、新たなコンテンツを格納する容量を有しているか否かを判断する処理と、
前記判断する処理により、前記空き容量が前記新たなコンテンツを格納する容量を有していないと判断されると、前記コンテンツの供給状況毎に予め定められた基準に基づいて、前記格納手段に格納されたコンテンツから前記新たなコンテンツを格納するための代替候補を抽出する処理と、
を実現させるためのプログラム。
【発明の詳細な説明】
【技術分野】
【０００１】
本発明は、情報処理装置、制御方法、及びプログラムに関する。
【背景技術】
【０００２】
近年、地上デジタル放送サービスや、ＢＳ（Broadcasting Satellite）、ＣＳ（Communications Satellite）デジタル放送サービスの開始に伴い、テレビの多チャンネル化が目覚ましい。ユーザは、このような放送サービスによって放送される番組、放送された番組を録画した番組、又はインターネット上のサーバに不特定多数のユーザが投稿し、共有し、視聴できる動画サイト等（以下、これらを纏めて「コンテンツ」ともいう。）といった多数の選択肢の中から、自分の興味関心が高いカテゴリに属するコンテンツの視聴を行うことが可能である。そして、これらのコンテンツの視聴に対応することが可能な、テレビジョン受信機、録画再生機、及びパーソナルコンピュータに代表される情報処理装置も普及している。
【０００３】
このような状況の下、ユーザは、自分が興味関心を抱き、自分の嗜好に合致するコンテンツのみを選別し、視聴することが非常に困難であるという問題がある。また、受信されたコンテンツデータを一旦蓄積した後、視聴する仕組みを設けたとしても、大量のコンテンツデータが蓄積されている場合には、どのコンテンツが自分の嗜好に合致するものであるかを即時に判断することも困難である。
【０００４】
ユーザにとって興味関心が高い複数のテレビ番組が同じ時間帯に複数の放送局から放送されている場合、あるテレビ番組についてはそのまま視聴すると共に、裏番組については後日視聴するために録画しておくのであるが、そのためには、テレビジョン受信機、録画再生機、及びパーソナルコンピュータに代表される情報処理装置が、上記放送サービスを同一時間帯に受信可能な複数のチューナを搭載している必要がある。
【０００５】
テレビ番組を自動的に録画予約する方法として、ユーザが嗜好する番組の番組名、ジャンル、出演者名等を設定しておくことにより、放送局から電波の隙間を使って送信される電子番組ガイド（ＥＰＧ：Electronic Program Guide）から該当条件を検索し、当該条件に合致する番組を自動的に録画予約する方法が知られている。
【０００６】
一方、テレビ番組を録画する録画装置の記憶媒体の容量は有限であり、自動録画を継続していると、記憶媒体の空き容量が不足し、録画することが出来なくなってしまう。このような場合、最も過去に録画された番組から順に消去したり、視聴し終えた番組から消去したり、録画番組毎に消去禁止とする期間を自動的に付与して録画を行い、当該消去禁止とする期間が経過した番組から消去したりすることにより、記憶媒体の空き容量を確保し、次回録画のときに記憶媒体の容量不足による録画不能という事態を防止する方策が取られてきた。
【０００７】
特許文献１には、録画部の空き容量の検出手段を有し、空き容量が録画しようとする番組の必要量より不足する場合、録画されている番組の電子番組情報と、録画しようとしている番組の電子番組情報と、嗜好情報記憶手段に記憶された視聴者の嗜好情報とを基に嗜好度数を比較し、録画されている番組の嗜好度数が高ければ録画を中止し、録画しようとしている番組の嗜好度数が高い場合は、嗜好度数の低い録画済の番組を消去し、録画されている番組と録画しようとしている番組の嗜好度数が同じ場合、放送日付の古い番組を消去し、放送日の新しい番組を録画する技術が開示されている。
【先行技術文献】
【特許文献】
【０００８】
【特許文献１】特開２００６−０８０９７４号公報
【発明の概要】
【発明が解決しようとする課題】
【０００９】
しかしながら、最も過去に録画された番組から順に消去する方法では、最も過去に録画された番組が、ユーザの嗜好に合致する番組であるにもかかわらず、ユーザが視聴することをうっかり忘れていたり、後日視聴するため敢えて残しておいたりした場合であっても、強制的に消去されてしまうという問題があった。
【００１０】
また、視聴し終えた番組から消去する方法でも、視聴し終えた番組が、ユーザの嗜好に合致する番組であり、後日繰り返し視聴するために残しておいたにもかかわらず、ユーザが後日繰り返し視聴することをつい忘れていた場合であっても、強制的に消去されてしまうという問題があった。
【００１１】
さらに、録画番組毎に消去禁止とする期間を自動的に付与して録画を行い、消去禁止とする期間が経過した番組から消去する方法でも、消去禁止期間に視聴することができず、やむを得ず残しておいたにもかかわらず、強制的に消去されてしまうという問題があった。
【００１２】
また、特許文献１に開示された技術では、録画しようとしている番組と、録画されている番組との嗜好度数を比較し、嗜好度数の高い番組を優先的に残存させるようにしているが、嗜好度数は、ＥＰＧの各番組に対して、視聴者が、自分の好みに合ったジャンルに属する番組については高い嗜好度数を、自分の好みに合わないジャンルに属する番組については低い嗜好度数を、それぞれ設定することにより嗜好度数を決定している。
【００１３】
しかしながら、これらの嗜好度数は、実際の番組を視聴する以前にＥＰＧから得られる情報に基づいて付与されるものであるから、視聴者が過去、現実に視聴したあらゆるコンテンツに対するアクセス履歴の傾向を反映し、視聴者にとって新鮮味があるコンテンツを残存させるようにしたものではなかった。したがって、視聴者にとって新鮮味があると推測される番組に対して、必ずしも高い嗜好度数が設定されるとは限らないという問題があった。
【００１４】
そこで本発明は、上記従来の問題点に鑑みてなされたもので、ユーザにとって新鮮味がなくなったと判断されるコンテンツを、外部記憶媒体に保存すると共に内蔵する記憶媒体から削除するか、内蔵する記憶媒体に格納されているファイルサイズを圧縮するかをユーザに対して選択させることにより、容量不足による録画不能状態を回避することが可能な情報処理装置、制御方法、及びプログラムを提供することを目的とする。
【課題を解決するための手段】
【００１５】
上記課題を解決するため、請求項１に記載の本発明における情報処理装置は、放送又はネットワークを介して供給されるコンテンツを格納する格納手段と、前記格納手段の空き容量が、新たなコンテンツを格納する容量を有しているか否かを判断する判断手段と、前記判断手段により、前記空き容量が前記新たなコンテンツを格納する容量を有していないと判断されると、前記コンテンツの供給状況毎に予め定められた基準に基づいて、前記格納手段に格納されたコンテンツから前記新たなコンテンツを格納するための代替候補を抽出する抽出手段と、を含むことを特徴とする。
【００１６】
また、請求項２に記載の情報処理装置は、請求項１に記載の情報処理装置において、前記抽出手段は、前記格納手段に格納されているコンテンツが、同一タイトルで期間を定めて定期的に供給されるジャンルに属するシリーズコンテンツである場合、前記期間が終了した後、所定時間経過したことを条件として一連の前記シリーズコンテンツを代替候補として抽出することを特徴とする。
【００１７】
さらに、請求項３に記載の情報処理装置は、請求項１又は２に記載の情報処理装置において、前記抽出手段は、前記格納手段に格納されているコンテンツが、同一タイトルで期間を定めず定期的に供給されるジャンルに属する繰り返しコンテンツである場合、前記同一タイトルの新たなコンテンツが供給されたことを条件として個々の前記繰り返しコンテンツを代替候補として抽出することを特徴とする。
【００１８】
また、請求項４に記載の情報処理装置は、請求項１から３の何れか１項に記載の情報処理装置において、前記抽出手段は、前記格納手段に格納されているコンテンツが、現実の事象がリアルタイムで供給されるジャンルに属するライブコンテンツである場合、前記事象が終了したことを条件として前記ライブコンテンツを代替候補として抽出することを特徴とする。
【００１９】
そして、本発明における請求項５に記載の本発明における制御方法は、放送又はネットワークを介して供給されるコンテンツを格納する格納手段を有する情報処理装置の制御方法であって、前記格納手段の空き容量が、新たなコンテンツを格納する容量を有しているか否かを判断する工程と、前記判断する工程により、前記空き容量が前記新たなコンテンツを格納する容量を有していないと判断されると、前記コンテンツの供給状況毎に予め定められた基準に基づいて、前記格納手段に格納されたコンテンツから前記新たなコンテンツを格納するための代替候補を抽出する工程と、を含むことを特徴とする。
【００２０】
また、上記課題を解決するため、請求項６に記載の本発明におけるプログラムは、放送又はネットワークを介して供給されるコンテンツを格納する格納手段を有する情報処理装置のコンピュータに、前記格納手段の空き容量が、新たなコンテンツを格納する容量を有しているか否かを判断する処理と、前記判断する処理により、前記空き容量が前記新たなコンテンツを格納する容量を有していないと判断されると、前記コンテンツの供給状況毎に予め定められた基準に基づいて、前記格納手段に格納されたコンテンツから前記新たなコンテンツを格納するための代替候補を抽出する処理と、を実現させることを特徴とする。
【発明の効果】
【００２１】
本発明によれば、容量不足による録画不能状態を回避することが可能な情報処理装置、制御方法、及びプログラムが得られる。
【図面の簡単な説明】
【００２２】
【図１】本発明の実施形態における情報処理装置を含む情報処理システムの全体の構成を示す構成図である。
【図２】本発明の実施形態における情報処理装置の全体構成について説明する概略ブロック図である。
【図３】本発明の実施形態における情報処理装置の機能ブロック図である。
【図４】本発明の実施形態における情報処理装置の動作について説明する図である。
【図５】本発明の実施形態における情報処理装置の嗜好指数の抽出方法について説明する図である。
【図６】本発明の実施形態における情報処理装置の動作について説明するフローチャートである。
【発明を実施するための形態】
【００２３】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、放送又はネットワークを介して供給されるコンテンツを格納する格納手段と、格納手段の空き容量が、新たなコンテンツを格納する容量を有しているか否かを判断する判断手段と、判断手段により、空き容量が新たなコンテンツを格納する容量を有していないと判断されると、コンテンツの供給状況毎に予め定められた基準に基づいて、格納手段に格納されたコンテンツから新たなコンテンツを格納するための代替候補を抽出する抽出手段と、を含むことにより、容量不足による録画不能状態を回避することができるのである。
【００２４】
まず、図１を用いて本発明の実施形態における情報処理装置を含む情報処理システムの全体の構成について説明する。図１は、本発明の実施形態における情報処理装置を含む情報処理システムの全体の構成を示す図である。図１を参照すると、本発明の実施形態における情報処理装置を含む情報処理システム１０は、例えば、パーソナルコンピュータ（以下、ＰＣともいう。）を代表とする情報処理装置２００が、インターネット等の広く公衆によって接続可能なネットワーク３００を介してＷｅｂサーバ４００に接続されている。また、ＰＣ２００は、放送局１００から送信される放送波を受信することができるようになっている。なお、情報処理装置２００には、ＰＣ以外に他の携帯情報端末も含まれることは勿論である。
【００２５】
また、Ｗｅｂサーバ４００は、ＰＣ２００と、インターネット等のネットワーク３００を介して接続されている。そして、ＰＣ２００を例とする情報処理装置から発せられた任意のＷｅｂページに接続したい旨のアクセス要求に対して、ＵＲＬ（Uniform Resource Locator）で特定されたＷｅｂサーバ４００から提供されるＷｅｂページの閲覧が可能となる。なお、図１中には、インターネット等のネットワーク３００に対してＰＣ２００のみ接続されているが、情報処理装置は１台に限定されず、複数台接続されていることはいうまでも無い。
【００２６】
次に、本発明の実施形態における情報処理装置の全体構成について説明する。図２は、本発明の実施形態における情報処理装置の全体構成について説明する概略ブロック図である。ＰＣ２００は、ＴＶチューナ部２０１と、ネットワーク接続部２０５と、ＣＰＵ（Central Processing Unit）２０６と、ＲＯＭ（Read Only Memory）２０２と、ＲＡＭ（Random Access Memory）２０３と、ＨＤＤ（Hard Disk Drive）２０４と、表示部２０７と、入力部２０８と、電源部２０９と、外部記憶接続部２１０と、から構成される。
【００２７】
ＴＶチューナ部２０１は、放送局１００（図１）から送信される地上デジタル、ＢＳ、及びＣＳ放送をアンテナから受信し復調するものである。ネットワーク接続部２０５は、インターネットに代表されるネットワーク３００（図１）に接続され、ネットワーク３００とのインタフェースを図るものである。ＣＰＵ２０６は、ＰＣ２００全体の動作を制御するものであり、ＲＯＭ２０２に格納された制御プログラムをロードし、ＰＣ２００の動作によって得られた様々なデータをＲＡＭ２０３に展開するものである。ＨＤＤ２０４は、ＰＣ２００のアプリケーションソフトウェアプログラムを格納したり、ＴＶチューナ部２０１によって受信されたテレビ番組（以下、コンテンツともいう。）を録画したりするものである。
【００２８】
表示部２０７は、ＬＣＤ（Liquid Crystal Display）等で構成される表示画面であり、ＰＣ２００によって実行されたアプリケーションソフトウェアプログラムの結果やＴＶチューナ部２０１によって受信されたテレビ番組を表示するものである。入力部２０８は、キーボード、マウス、タッチパネル等、ユーザがＰＣ２００に対して指示を与えるものである。そして、電源部２０９は、ＰＣ２００に対してＡＣ（Alternative Current：交流）、又はＤＣ（Direct Current：直流）電源を与えるものである。外部記憶接続部２１０は、ブルーレイディスク等の外部記憶媒体を接続するものである。
【００２９】
次に、本発明の実施形態における情報処理装置の機能ブロックについて説明する。図３は、本発明の実施形態における情報処理装置の機能ブロック図である。
【００３０】
図３において、ＰＣ２００は、放送局１００（図１）から送信される放送波を受信する複数のチューナ部２１１−１、２１１−２、２１１−３、及び２１１−４と、チューナ部２１１−１、２１１−２、２１１−３、及び２１１−４により復調されたテレビ番組（コンテンツ）を記録し再生するするコンテンツ記録再生部２１４と、コンテンツ記録再生部２１４に記録されているテレビ番組（コンテンツ）、及び後述する動画情報取得記録部２１９に記録されているコンテンツを管理する格納情報管理部２１７と、液晶（ＬＣＤ）等のディスプレイ２２１にテレビ番組を表示する動画表示処理部２１５と、インターネット等の公衆に利用可能なネットワーク３００（図１）を介してＷｅｂサーバ４００に接続するためのネットワーク接続処理部２２０と、を含んで構成されている。
【００３１】
コンテンツ記録再生部２１４にコンテンツが記録されることにより、格納情報管理部２１７は、コンテンツ記録再生部２１４の空き容量を算出すると共に、当該空き容量が、今後新たに格納される予定のコンテンツを格納するだけの容量を有しているか否かを判断する。当該空き容量が、今後新たに格納される予定のコンテンツを格納するための容量を有していないと判断すると、コンテンツ記録再生部２１４に格納されているコンテンツのうち、新たに格納される予定のコンテンツの代替候補を抽出する。そして、映像解析処理部２１６は、動画情報取得記録部２１９に記録されたコンテンツ、及び格納情報管理部２１７により管理されたコンテンツ（テレビ番組）の全てについてコンテンツの新鮮味を取得し、解析する。例えば、図示しないＥＰＧ情報管理部から送信される電子番組表（ＥＰＧ）の中から、興味情報取得部２１８を介して受信したユーザの嗜好指数が高いコンテンツは、一般的に新鮮味があるものとして評価される。さらに、動画表示処理部２１５は、映像解析処理部２１６において新鮮味がないと解析されたコンテンツについて、外部記憶媒体に保存するのか、ファイルサイズを圧縮するのか、又はコンテンツ記録再生部２１４から削除するのかをユーザに選択させるため、ディスプレイ２２１に表示する。
【００３２】
また、動画情報取得記録部２１９は、放送局１００（図１）から送信されるライブ放送のテレビ番組、録画されたテレビ番組、Ｗｅｂサーバ４００からネットワーク３００（図１）を介してネットワーク接続処理部２２０から取得された不特定多数のユーザが投稿し、共有し、視聴できる動画サイト等の情報を取得し記録する。
【００３３】
なお、ディスプレイ２２１には、ライブ放送されているテレビ番組の画面、録画されたテレビ番組の再生画面、録画されたテレビ番組の一覧表が表示されることは勿論であるが、図示しないＥＰＧ情報管理部により取得された、過去に放送された番組、現在放送されている番組、又は今後放送される予定の番組の番組表も表示される。また、ネットワーク接続処理部２２０によって取得されたＷｅｂサーバ４００に格納されたＷｅｂ上のコンテンツも表示される。
【００３４】
次に、本発明の実施形態における情報処理装置の動作について説明する。図４は、本発明の実施形態における情報処理装置の動作について説明する図である。
【００３５】
図３に示すコンテンツ記録再生部２１４において、録画済番組であるニュースワイド２１４１と、録画番組候補であるドラマスペシャル２１４２とがディスプレイ２２１に表示されている。そして、コンテンツ記録再生部２１４が、録画番組候補であるドラマスペシャル２１４２を格納するだけの空き容量を有していないと仮定する。そうすると、格納情報管理部２１７は、後述するように、コンテンツの供給状況毎に予め定められた基準、換言すれば、コンテンツの実際の供給パターンに応じたコンテンツ分類毎に設けられた基準に基づいて新鮮味がなくなったと判断された録画番組をブルーレイディスクレコーダ（以下、ＢＤという。）に保存すること、ファイルサイズを圧縮すること、又は削除候補とすることの何れかを実行するための表示をディスプレイ２２１に表示する。
【００３６】
コンテンツの供給状況毎に予め定められた基準とは、例えば、コンテンツがアニメ番組である場合、週１回の放送で１クール（１３週）で終了する連続ものと、週１回の放送で数年に跨って放送されている各話独立のものとでは、同じアニメという番組ジャンルに属するコンテンツであっても、今週放送される番組に対する前週放送された録画番組の新鮮味は、全く異なるものとなる。すなわち、連続もののアニメの場合、今週の放送を視聴する直前まで前週放送の録画番組の新鮮味はあるが、今週の放送を視聴してしまうと、前週放送の録画番組の新鮮味はなくなってしまう。他方、長期間放送されているアニメ番組の場合、各話独立であるので、仮に今週の放送を視聴したとしても、前週の録画番組の新鮮味はなくならない。
【００３７】
そして、新鮮味の有無を判断する基準となるコンテンツの供給状況、供給パターンは、放送局１００（図１）から実際に供給されるコンテンツの供給状況の他、次のような補助的な情報から得ることができる。例えば、ＡＲＩＢ（社団法人電波産業会：Association of Radio Industries and Businesses）規格に準拠した電子番組表（ＥＰＧ）が作成される基となっている番組の名称や放送日時、放送内容等番組に関連する情報が含まれているＥＩＴ（Event Information Table）や、ユーザがネットワーク３００（図１）を介して番組のＷｅｂサイト等にアクセスすることにより取得する情報等から得ることができる。図４の例では、３月３０日に録画された連続ドラマ２１４３の新鮮味がなくなったので、ＢＤに保存することを勧め、６月２６日に録画されたニュース侍２１４４の新鮮味がなくなったので、削除することとしている。
【００３８】
他にも、新鮮味がなくなった録画番組としては、例えば、前々クールのドラマは新鮮味がなくなったので、ＢＤへ保存することを勧めたり、１ヵ月前のバラエティー番組は新鮮味がなくなったので削除したり、録画後、３ヶ月以上見ていない映画番組は新鮮味がなくなったので、録画済の１０作品のうち残存させる５作品をユーザに選択させたり、録画した一昨日のニュース番組は新鮮味がなくなったので自動的に削除したり、ユーザの嗜好指数が最も低い番組であって既に視聴済の番組については、ユーザに確認した後、自動的に削除したりする。なお、嗜好指数の抽出方法については後述する。
【００３９】
そして、新たなコンテンツを格納するための代替候補となるコンテンツを抽出する際の新鮮味の高低の判断については、例えば、録画されたニュース番組の場合、ニュース記事の内容を字幕から抽出し、既にユーザが視聴済のニュース情報に含まれるキーワードと比較することにより、当該録画されたニュース番組の中に新規なキーワードの比率が少ない場合、その録画されたニュース番組は新規性がないので新鮮味がないコンテンツであるので、代替候補として抽出する。また、同一事件・同一事故のニュースは、数件分ニュース番組を視聴した段階で、残った同一記事の新鮮味は極端になくなった状態となる。要するに、新規キーワードがどれくらいの比率で現れるかによって、新しい（新鮮味がある）コンテンツであるか否かが判断される。
【００４０】
以下、新たなコンテンツを格納するための代替候補となるコンテンツを抽出する際の新鮮味に関し、詳細に説明する。個人にとっての情報価値は、その情報の新鮮さと、その情報に対する個人の経験との積といった必要条件式で表されるといえる。そして、個人の経験として、行動履歴は最終的に嗜好に反映され、個人にとって既に知っている情報の価値は低く、まだ知らない、最新情報の価値は高いといえる。
【００４１】
他方、情報の新鮮さには、共通的な概念が存在する。具体的には、万人にとっての情報価値の指標である、現在旬な（関心の高い）情報であることを示す指標の捉え方があり、それは、時間の経過、情報の更新周期、注目度によって変動するものである。例えば、情報が更新された後の以前の情報（旧情報）の価値は、当該情報が連続的なものであれば高く、常時変動するものであれば低くなる傾向にある。
【００４２】
テレビ番組を一例に説明すると、ニュースや天気予報といった互いに類似するタイトルで現実の事象がリアルタイムに変化するジャンルに属する時事コンテンツは、最新情報に更新されることにより、それより前の情報の新鮮さは低下するのが一般的である。しかし、同じテーマのニュースコンテンツであれば、そのテーマに密接に関連する過去の情報であっても一定の新鮮さを有している場合もあるし、同じテーマであっても話題が変化すれば、過去の情報の新鮮さは極端に低下する傾向にあるので新たなコンテンツを格納するための代替候補となる。また、翌日の天気予報を録画した場合、当日朝の放送直後の新鮮さは１００％であるが、昼には新鮮さがなくなり、翌日の朝の情報更新後には新鮮さが０％となるので新たなコンテンツを格納するための代替候補となる。
【００４３】
スポーツ中継番組といった現実の事象がリアルタイムに供給されるジャンルに属するライブコンテンツは、放送直後から新鮮さがなくなり、ダイジェスト等の結果を知った後、個人の情報価値は急激に低下する傾向にあるので新たなコンテンツを格納するための代替候補となる。すなわち、スポーツ番組はニュース等による情報更新が早く、結果を先に知る機会が多いためである。ただし、一定期間だけ開催されるイベント（オリンピック、ワールドカップ等）は、開催期間中は新鮮さが落ち難い傾向にあるが、録画したものを期間終了後に見るとなると、その情報の新鮮さは極端に落ちる傾向にあるので新たなコンテンツを格納するための代替候補となる。
【００４４】
ドラマやアニメ番組といった同一タイトルで期間を定めて定期的に供給されるジャンルに属するシリーズコンテンツは、連続物の場合、最新話放送後、新鮮さはなくなるので新たなコンテンツを格納するための代替候補となる。しかし、最新話より１つ前の回の話は、最新話を視聴するまでは高い新鮮さを維持する。また、シーズン物は当該シーズンの放送中は一定の新鮮さを維持するが、新しいシーズン物の放送が開始すると旧シーズン物の新鮮さは低下するので新たなコンテンツを格納するための代替候補となる。他方、長期の連作物は、番組の編単位で新鮮さを維持することが多い。
【００４５】
また、バラエティー番組といった同一のタイトルで期間を定めず定期的に供給されるジャンルに属する繰り返しコンテンツは、各話独立しているので、次回の放送によって新鮮さがなくなるので新たなコンテンツを格納するための代替候補となる。音楽番組は、最新のランキング、新曲が発表されるまで新鮮さを維持する傾向にある。映画番組は、時間の経過によって新鮮さは低下するので新たなコンテンツを格納するための代替候補となるが、次週放送の作品の影響は受け難い傾向がある。
【００４６】
以上述べたようなコンテンツの供給状況毎に予め定められた基準を情報価値の共通概念として用いることにより、コンテンツ記録再生部２１４（図３）の記憶容量が少なくなった場合、コンテンツの供給状況毎に予め定められた基準を用いることにより新たなコンテンツを格納するための代替候補を抽出すると共に、ユーザに対して、「このコンテンツの方が新鮮味が高いので、別なコンテンツを消去した方が良いですよ。」といった情報をリコメンド（推薦）するための基礎として用いることとしている。
【００４７】
次に、本発明の実施形態における情報処理装置の嗜好指数の抽出方法について説明する。図５は、本発明の実施形態における情報処理装置の嗜好指数の抽出方法について説明する図である。
【００４８】
図５において、興味情報取得部２１８は、情報取得部２１８１、取得情報記憶部２１８２、興味テーブル２１８３、情報選別部２１８４、全情報取得部２１８５、及び興味推定部２１８６とから構成される。情報取得部２１８１は、ネットワーク接続処理部２２０（図３）を介して指定されたＵＲＬからインターネットアクセス履歴を取得する。取得されたインターネットアクセス履歴は、取得情報記憶部２１８２に記憶される。
【００４９】
一方、コンテンツ情報の各カテゴリ毎の興味パラメータが算出され、興味テーブル２１８３に格納される。この興味テーブル２１８３は、ユーザの行動監視、特に視聴履歴監視による興味カテゴリの推定を行う興味推定部２１８６によって作成される。
【００５０】
そして、情報選別部２１８４は、取得情報記憶部２１８２、及び興味テーブル２１８３に合わせてカテゴリを選別し、嗜好指数抽出のための全情報が全情報取得部２１８５によって取得される。
【００５１】
なお、嗜好指数抽出のための全情報としては、Ｗｅｂサーバ４００（図１）に格納されたＷｅｂ上のコンテンツ情報、図示しないＳＮＳサーバに格納されたＳＮＳコンテンツ情報、ＴＶ番組コンテンツ情報等が含まれるが、ここに例示した情報に限定されることなく、ＰＣ２００によって取得される様々な情報が含まれることは勿論である。
【００５２】
次に、本発明の実施形態における情報処理装置の動作について説明する。図６は、本発明の実施形態における情報処理装置の動作について説明するフローチャートである。
【００５３】
図６において、ステップ（以下、Ｓという。）６０１の処理では、新たに録画するコンテンツがあるか否かが判断される。新たに録画するコンテンツがない（Ｓ６０１：ＮＯ）と判断されると、処理を終了する。新たに録画するコンテンツがある（Ｓ６０１：ＹＥＳ）と判断されると、Ｓ６０２の処理へ移行する。
【００５４】
Ｓ６０２の処理では、新たに録画するコンテンツが、内蔵する記憶媒体（コンテンツ記録再生部２１４（図３））の空き容量に収まるか否かが判断される。空き容量に収まる（Ｓ６０２：ＹＥＳ）と判断されると、処理を終了する。空き容量に収まらない（Ｓ６０２：ＮＯ）と判断されると、Ｓ６０３の処理へ移行する。Ｓ６０３の処理では、内蔵する記憶媒体に既に格納されているコンテンツに対するユーザのアクセス履歴を確認する。
【００５５】
Ｓ６０４の処理では、格納情報管理部２１７（図３）が、コンテンツ記録再生部２１４に既に格納されているコンテンツの中から、上記説明したコンテンツの供給状況毎に予め定められた基準に基づいて抽出された新鮮味のないコンテンツを検索する。Ｓ６０５の処理では、新鮮味のないコンテンツを図示しない外部記憶媒体に保存するか否かが判断される。外部記憶媒体に保存する（Ｓ６０５：ＹＥＳ）と判断されると、Ｓ６０６の処理へ移行する。外部記憶媒体に保存しない（Ｓ６０５：ＮＯ）と判断されると、Ｓ６０７の処理へ移行する。
【００５６】
Ｓ６０６の処理では、新鮮味のないコンテンツを図示しないブルーレイディスク等の外部記憶媒体に保存する。そして、Ｓ６０８の処理では、外部記憶媒体に保存したコンテンツを、内蔵する記憶媒体（コンテンツ記録再生部２１４）から削除する。Ｓ６０７の処理では、新鮮味のないコンテンツのファイルサイズを圧縮するか否かが判断される。ファイルサイズを圧縮する（Ｓ６０７：ＹＥＳ）と判断されると、Ｓ６０９の処理へ移行し、ファイルサイズが圧縮される。ファイルサイズを圧縮しない（Ｓ６０７：ＮＯ）と判断されると、Ｓ６１０の処理へ移行し、新鮮味のないコンテンツを内蔵する記憶媒体（コンテンツ記録再生部２１４）から削除する。
【００５７】
Ｓ６１１の処理では、新たに録画するコンテンツが、内蔵する記憶媒体（コンテンツ記録再生部２１４）の空き容量に収まるか否かが判断される。空き容量に収まる（Ｓ６１１：ＹＥＳ）と判断されると、Ｓ６１２の処理へ移行する。空き容量に収まらない（Ｓ６１１：ＮＯ）と判断されると、Ｓ６０３の処理へ再び戻る。Ｓ６１２の処理では、新たに録画するコンテンツを、内蔵する記憶媒体（コンテンツ記録再生部２１４）に保存して処理を終了する。
【００５８】
なお、図６に示した本発明の実施形態における情報処理装置（ＰＣ）２００を構成する各機能ブロックの各動作は、コンピュータ上のプログラムに実行させることもできる。すなわち、情報処理装置２００のＣＰＵ２０６が、ＲＯＭ２０２、ＲＡＭ２０３等から構成される記憶部に格納されたプログラムをロードし、プログラムの各処理ステップが順次実行されることによって行われる。
【００５９】
以上説明してきたように、本発明によれば、放送又はネットワークを介して供給されるコンテンツを格納する格納手段と、格納手段の空き容量が、新たなコンテンツを格納する容量を有しているか否かを判断する判断手段と、判断手段により、空き容量が新たなコンテンツを格納する容量を有していないと判断されると、コンテンツの供給状況毎に予め定められた基準に基づいて、格納手段に格納されたコンテンツから新たなコンテンツを格納するための代替候補を抽出する抽出手段と、を含むことにより、容量不足による録画不能状態を回避することができるのである。
【００６０】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６１】
１０    情報処理システム
１００    放送局
２００    ＰＣ
２０１    ＴＶチューナ部
２０２    ＲＯＭ
２０３    ＲＡＭ
２０４    ＨＤＤ
２０５    ネットワーク接続部
２０６    ＣＰＵ
２０７    表示部
２０８    入力部
２０９    電源部
２１０    外部記憶接続部
２１１−１、２１１−２、２１１−３、２１１−４    チューナ部
２１４    コンテンツ記録再生部
２１５    動画表示処理部
２１６    映像解析処理部
２１７    格納情報管理部
２１８    興味情報取得部
２１９    動画情報取得記録部
２２０    ネットワーク接続処理部
２２１    ディスプレイ
２２２    リモコン
３００    ネットワーク
４００    Ｗｅｂサーバ
２１８１    情報取得部
２１８２    取得情報記憶部
２１８３    興味テーブル
２１８４    情報選別部
２１８５    全情報取得部
２１８６    興味推定部
【図１】
2015156579.tif 000003
【図２】
2015156579.tif 000004
【図３】
2015156579.tif 000005
【図４】
2015156579.tif 000006
【図５】
2015156579.tif 000007
【図６】
2015156579.tif 000008